(57)【要約】【課題】  多数個取り部品にクラックが発生しにくい多数個取り部品収納用トレイを提供する。【解決手段】  本発明の多数個取り部品収納用トレイは、複数の基材１によって形成される多数個取り部品３の収納空間４において、収納空間４の高さをｈ、多数個取り部品３のいずれかの一辺の寸法をＬ、多数個取り部品３の厚みをｔ、多数個取り部品３が収納空間４の下に位置する収納部２の底部２ａ１の上面と収納空間４の上に位置する収納部２の底部２ａ２の下面とに接触した状態のときの収納部２の底部２ａ２と多数個取り部品３とがなす角の角度をθ度としたとき、      ｈ＝Ｌｓｉｎθ＋ｔｃｏｓθ      ２．１５≦θ≦２．６０を満たす。【選択図】  図２
2013133120.tif 000002
【特許請求の範囲】
【請求項１】
それぞれ収納部を有しており、前記収納部が覆われるように互いに重ねられて用いられる複数の基材を備えており、
前記複数の基材によって形成される平面視で方形の多数個取り部品の収納空間において、前記収納空間の高さをｈ、前記多数個取り部品のいずれかの一辺の寸法をＬ、前記多数個取り部品の厚みをｔ、前記多数個取り部品が前記収納空間の下に位置する前記収納部の底部の上面と前記収納空間の上に位置する前記収納部の底部の下面とに接触した状態のときの前記収納部の底部と前記多数個取り部品とがなす角の角度をθ度としたとき、
ｈ＝Ｌｓｉｎθ＋ｔｃｏｓθ
２．１５≦θ≦２．６０
を満たすことを特徴とする多数個取り部品収納用トレイ。
【発明の詳細な説明】
【技術分野】
【０００１】
本発明は、電子部品あるいは電子部品搭載用基板等が複数連なっている多数個取り部品を収容し搬送するための多数個取り部品収納用トレイに関するものである。
【背景技術】
【０００２】
従来から、電子部品あるいは電子部品搭載用基板等を収納する収納用トレイが知られている。このような収納用トレイとして、電子部品あるいは電子部品搭載用基板等を収納した複数の収納用トレイを重ねて、電子部品あるいは電子部品搭載用基板等が収納用トレイ内で動かないように複数の収納用トレイで挟むことによって、電子部品あるいは電子部品搭載用基板等が搬送時に破損しないようにしていた。
【先行技術文献】
【特許文献】
【０００３】
【特許文献１】特開2006-76617号公報
【発明の概要】
【発明が解決しようとする課題】
【０００４】
上記収納用トレイに収容される電子部品あるいは電子部品搭載用基板は、近年小型化され、電子部品あるいは電子部品搭載用基板等が複数連なっている多数個取り部品として製造されており、この多数個取り部品も収納用トレイに収納され、複数の収納用トレイを重ねて、多数個取り部品が収納用トレイ内で動かないように複数の収納用トレイで挟んでいた。
【０００５】
しかしながら、多数個取り部品を複数の収納用トレイで挟む構成ものでは、収納用トレイに搬送時の振動が伝わった場合に、多数個取り部品に応力が伝わり多数個取り部品にクラックが発生したり、多数個取り部品が割れやすくなってしまう問題があった。
【課題を解決するための手段】
【０００６】
本発明の態様による多数個取り部品収納用トレイは、それぞれ収納部を有した複数の基材を備えている。複数の基材は、収納部が覆われるように互いに重ねられて用いられ、平面視で方形の多数個取り部品の収納空間を形成する。収納空間において、収納空間の高さをｈ、多数個取り部品のいずれかの一辺の寸法をＬ、多数個取り部品の厚みをｔ、多数個取り部品が収納空間の下に位置する収納部の底部の上面と収納空間の上に位置する収納部の底部の下面とに接触した状態のときの収納部の底部と多数個取り部品とがなす角の角度をθ度としたとき、
ｈ＝Ｌｓｉｎθ＋ｔｃｏｓθ
２．１５≦θ≦２．６０
を満たしている。
【発明の効果】
【０００７】
本発明の態様による多数個取り部品収納用トレイは、それぞれ収納部を有した複数の基材を備えている。複数の基材は、収納部が覆われるように互いに重ねられて用いられ、平面視で方形の多数個取り部品の収納空間を形成する。収納空間において、収納空間の高さをｈ、多数個取り部品のいずれかの一辺の寸法をＬ、多数個取り部品の厚みをｔ、多数個取り部品が収納空間の下に位置する収納部の底部の上面と収納空間の上に位置する収納部の底部の下面とに接触した状態のときの収納部の底部と多数個取り部品とがなす角の角度をθ度としたとき、
ｈ＝Ｌｓｉｎθ＋ｔｃｏｓθ
２．１５≦θ≦２．６０
を満たしている。これらによって、多数個取り部品収納用トレイに搬送時の振動が伝わった場合でも、多数個取り部品に加わる応力が小さいものとなり、多数個取り部品にクラックが発生したり、多数個取り部品が割れにくいものとすることができる。
【図面の簡単な説明】
【０００８】
【図１】本発明の実施形態における多数個取り部品収納用トレイを示す透視図である。
【図２】（ａ）は本発明の実施形態における多数個取り部品収納用トレイのＡ−Ａ線における断面を示す断面図であり、（ｂ）は［図２］（ａ）に示された収納空間の拡大図である。
【発明を実施するための形態】
【０００９】
以下、本発明の例示的な実施形態について図面を参照して説明する。
【００１０】
図１、図２を参照して本発明の実施形態における多数個取り部品収納用トレイについて説明する。本実施形態における多数個取り部品収納用トレイは、複数の基材１を有している。
【００１１】
基材１は、ポリスチレン系樹脂，ポリ塩化ビニール樹脂，ポリエステル系樹脂等の熱可塑性樹脂から成る厚みが０．５〜２ｍｍ程度の薄板に真空プレス成形により凹凸を加工することにより形成されており、例えば長さが１００〜３００ｍｍ、幅が５０〜２５０ｍｍ、高さが５〜２０ｍｍの平面視で長方形である。なお、基材１は、図１、図２の例では平面視で長方形となっているが正方形であってもよい。
【００１２】
複数の基材１は、それぞれ多数個取り部品３を収納するための収納部２を有している。収納部２は、例えば、平面視で一辺の長さが３〜１００ｍｍ程度の方形状であり、深さは５〜２０ｍｍ程度であり、複数の収納部２が縦横に配列されている。また、各収納部２の間隔は、例えば１〜２０ｍｍ程度である。
【００１３】
多数個取り部品３は、例えば、セラミック焼結体等からなる絶縁基体の表面に、タングステン，モリブデン，銅，銀等の金属材料からなる、配線および接続用のパッド等として機能する導体層を形成した方形となる構造であり、多数個取り部品３が例えば半導体素子収納用基体の場合であれば、絶縁基体の上面に、半導体素子（図示せず）の電極を接続するための電極パッドが多数縦横に配列形成されるとともに、下面に外部接続用の接続パッド２ｃが多数縦横に配列形成されている。
【００１４】
また、複数の基材１は、収納部２が覆われるように互いに重ねられて用いられ、平面視で方形の多数個取り部品３の収納空間４を形成する。収納部２は、多数個取り部品３を収納空間４に保持するための保持部として機能し、略平坦な複数の底部２ａおよび側部２ｂを備えている。なお、多数個取り部品収納用トレイに搬送時の衝撃が伝わった場合に、衝撃が多数個取り部品３に直接伝わらないように、図２（ａ）に示すように底部２ａに凹部２ｃが形成されたものとしてもよい。
【００１５】
本実施形態の多数個取り部品収納用トレイは、収納空間４において、収納空間４の高さをｈ、多数個取り部品３のいずれかの一辺の寸法をＬ、多数個取り部品３の厚みをｔ、多数個取り部品３が収納空間４の下に位置する収納部２の底部２ａ１の上面と収納空間４の上に位置する収納部２の底部２ａ２の下面とに接触した状態のときの収納部２の底部２ａ１と多数個取り部品３とがなす角の角度をθ度としたとき、
ｈ＝Ｌｓｉｎθ＋ｔｃｏｓθ
２．１５≦θ≦２．６０
を満たしている。上述の構成とすることにより、多数個取り部品収納用トレイに搬送時の振動が伝わって、多数個取り部品３が収納空間４の下に位置する底部２ａ１の上面と収納空間４の上に位置する底部２ａ２の下面とに接触したとしても、多数個取り部品３に加わる応力が分散して小さいものとなり、多数個取り部品３にクラックが発生したり、多数個取り部品３が割れにくいものとすることができる。
【００１６】
多数個取り部品収納用トレイにおいて、θと搬送時の振動が伝わった多数個取り部品３の状態についての関係を表１に示す。表１中の○は、多数個取り部品３にクラックまたは欠けが発生しなかった場合であり、表１中の×は、多数個取り部品３にクラックまたは欠けが発生した場合である。
【００１７】
【表１】
2013133120.tif 000003
【００１８】
表１に示す通り、θが２．１５≦θ≦２．６０であると、多数個取り部品３にクラックまたは欠けが発生せず、多数個取り部品３を安全に搬送することができる。θが２．１５以上であると、多数個取り部品収納用トレイに搬送時の振動が伝わった場合に、多数個取り部品３が収納空間４内で動き易く、多数個取り部品３の上面全体は底部２ａ２の下面に接触しにくいものとなって、多数個取り部品３に加わる衝撃が小さくなり、また多数個取り部品３に加わる応力が分散して小さいものとなる。θが２．６０以下であると、多数個取り部品収納用トレイに搬送時の振動が伝わった場合に、収納空間４内での多数個取り部品３の動きは大きいものとはならずに制限され、多数個取り部品３に加わる衝撃が大きくならず、また多数個取り部品３に加わる応力が分散して小さいものとなる。結果として多数個取り部品３にクラックが発生したり、多数個取り部品３が割れにくいものとすることができる。
【００１９】
なお、本実施形態の多数個取り部品収納用トレイにおける多数個取り部品３が収納空間４の下に位置する収納部２の底部２ａ１の上面と収納空間４の上に位置する収納部２の底部２ａ２の下面とに接触した状態とは、平面視で方形の多数個取り部品３の向かい合う辺のうち、一方の辺が収納部２の底部２ａ１の上面に接触し、他方の辺が収納部２の底部２ａ２の下面に接触した状態、すなわち多数個取り部品３の下面の一辺が収納部２の底部２ａ１の上面に接触し、多数個取り部品３の上面の一辺が収納部２の底部２ａ２の下面に接触した状態を指すものである。
【００２０】
また、本実施形態の多数個取り部品収納用トレイは、図１に示すように、縦断面視で枠部５を下辺が開口した略台形状にし、その傾斜を適宜調整することによって、収納空間４の高さｈが保たれることとなる。単に下辺が開口した略台形状にした場合には、多数個取り部品収納用トレイを複数積み重ねたときの荷重、圧力等が加わった際に枠部５が変形し、収納空間の高さｈが変わってしまう場合があるので、枠部５に支えとなる柱状の凹部を形成し、収納空間４の高さが保たれるようにするとより好ましい。
【００２１】
本発明の態様による多数個取り部品収納用トレイは、それぞれ収納部２を有した複数の基材１を備えている。複数の基材１は、収納部２が覆われるように互いに重ねられて用いられ、平面視で方形の多数個取り部品３の収納空間４を形成する。収納空間４において、収納空間４の高さをｈ、多数個取り部品３のいずれかの一辺の寸法をＬ、多数個取り部品
３の厚みをｔ、多数個取り部品３が収納空間４の下に位置する収納部２の底部２ａ１の上面と収納空間４の上に位置する収納部２の底部２ａ２の下面とに接触した状態のときの収納部２の底部２ａ２と多数個取り部品３とがなす角の角度をθ度としたとき、
ｈ＝Ｌｓｉｎθ＋ｔｃｏｓθ
２．１５≦θ≦２．６０
を満たしている。これらによって、多数個取り部品収納用トレイに搬送時の振動が伝わった場合でも、多数個取り部品３に加わる応力が小さいものとなり、多数個取り部品３にクラックが発生したり、多数個取り部品３が割れにくいものとすることができる。
【符号の説明】
【００２２】
１・・・・・基材
２・・・・・収納部
２ａ・・・・底部
３・・・・・多数個取り部品
４・・・・・収納空間
【図１】
2013133120.tif 000004
【図２】
2013133120.tif 000005